(57)【要約】【課題】優れた意匠性を有すると共に、調理器及びキャビネット等の他部材との調和を図ることが可能なキッチンカウンター用天板及びキッチンカウンターを提供すること。【解決手段】キッチンカウンター上部に配設されるキッチンカウンター用天板２である。天板２は、透明の樹脂基板２１と、その片側面に形成された意匠層２２とを有し、意匠層２２側を下に向けて用いられるよう構成されている。意匠層２２は、水溶性糊層を有する吸水紙上に絵具層を有する転写紙から、少なくとも絵具層を剥離させて上記樹脂基板の上記片側面に貼り付け、乾燥させてなることが好ましい。また、キッチンカウンター用天板２がその意匠層２２側を下に向けてカウンター本体上に配置されたキッチンカウンターである。【選択図】図２
2008161252.tif 000002
【特許請求の範囲】
【請求項１】
キッチンカウンター上部に配設されるキッチンカウンター用天板であって、
該キッチンカウンター用天板は、透明の樹脂基板と、該樹脂基板の片側面に形成された意匠層とを有し、該意匠層側を下に向けて用いられるよう構成されていることを特徴とするキッチンカウンター用天板。
【請求項２】
請求項１において、上記意匠層は、水溶性糊層を有する吸水紙上に絵具層を有する転写紙から、少なくとも上記絵具層を剥離させて上記樹脂基板の上記片側面に貼り付け、乾燥させてなることを特徴とするキッチンカウンター用天板。
【請求項３】
請求項１又は２において、上記キッチンカウンター用天板は、調理器を配設するための調理器配設部を有していることを特徴とするキッチンカウンター用天板。
【請求項４】
請求項３において、上記キッチンカウンター用天板の上記意匠層は、上記調理器のトッププレートと同じ図柄を有していることを特徴とするキッチンカウンター用天板。
【請求項５】
請求項１〜４のいずれか一項において、上記キッチンカウンター用天板は、シンクを配設するためのシンク配設部を有していることを特徴とするキッチンカウンター用天板。
【請求項６】
カウンター本体と、該カウンター本体上に配置された天板とを有するキッチンカウンターであって、
上記天板としては、請求項１〜５に記載のキッチンカウンター用天板が用いられ、該キッチンカウンター用天板はその上記意匠層側を下に向けて上記カウンター本体上に配置されていることを特徴とするキッチンカウンター。
【発明の詳細な説明】
【技術分野】
【０００１】
本発明は、優れた意匠性を有するキッチンカウンター用天板及びキッチンカウンターに関する。
【背景技術】
【０００２】
近年、キッチンカウンター等を備えたシステムキッチンにおいて、色彩・デザインの多様化が進んでいる。キッチンカウンターにおいても、ステンレス、天然石、天然木、樹脂等の様々な材質からなる天板を有するものが開発されている（非特許文献１参照）。これらのキッチンカウンター用天板は、それぞれの材質に特有な多様な意匠性を示す。
また、近年、キッチンカウンターにおいては、天板だけの意匠性でなく、キッチンカウンターに配設される調理器、及びシステムキッチンのキャビネット等の他部材と調和のとれた意匠性を有するものが要求されている。
【０００３】
しかし、ステンレス、天然石、天然木製の天板においては、これら独自の質感や模様以外に他の意匠性を付与することが困難であった。また、これらの天板においては、他部材についても同様の材質で形成すれば調和性のある意匠性を実現できるが、キッチンカウンターの重量が非常に大きくなり、施工が困難になるという問題があった。
これに対し、樹脂製の天板においては、樹脂材料に顔料を配合することにより、様々な模様及び質感を有する天板が開発されている。また、樹脂製の天板は、キッチンカウンターの軽量化を図ることもできる。
【０００４】
しかしながら、従来の樹脂製の天板においては、顔料を配合した樹脂材料を成形して作製されていたため、例えば大理石調又は御影石彫等を表現した場合においても、その模様及び質感が不鮮明になりやすく天然のものとは大きく異なってしまうという問題があった。また、成形後の質感や模様を予め予測することが困難であり、他部材との調和を図ることが困難であった。
【０００５】
【非特許文献１】「ＸＩＭＯ  ＳＴＹＬＥ  ＢＯＯＫ  ２００６」、松下電工株式会社住建事業本部、２００６年５月２２日、第１版、ｐ４４
【発明の開示】
【発明が解決しようとする課題】
【０００６】
本発明は、かかる従来の問題点に鑑みてなされたものであって、優れた意匠性を有すると共に、調理器及びキャビネット等の他部材との調和を図ることが可能なキッチンカウンター用天板及びキッチンカウンターを提供しようとするものである。
【課題を解決するための手段】
【０００７】
第１の発明は、キッチンカウンター上部に配設されるキッチンカウンター用天板であって、
該キッチンカウンター用天板は、透明の樹脂基板と、該樹脂基板の片側面に形成された意匠層とを有し、該意匠層側を下に向けて用いられるよう構成されていることを特徴とするキッチンカウンター用天板にある（請求項１）。
【０００８】
上記第１の発明のキッチンカウンター用天板は、透明の樹脂基板を有しているため、上記意匠層が形成された上記片側面とは反対側の面から上記意匠層を視認することができる。そのため、上記のごとく、上記キッチンカウンター用天板は、該天板の上記意匠層側を下に向けてキッチンカウンター上部に配設することができる。それ故、使用者が天板上で作業を行っても、摩擦や調理時の熱等により上記意匠層が破損してその意匠性が損なわれることを防止することができる。
【０００９】
また、例えば大理石調又は御影石調等の所望の意匠性を有する天板を作製する際には、大理石模様又は御影石模様等の所望の模様を有する上記意匠層を上記樹脂基板上に形成すればよい。これにより、顔料を配合した樹脂材料を成形してなる従来の天板に比べて、鮮明な模様を形成することができる。そのため、上記キッチンカウンター用天板は、優れた意匠性を発揮することができる。
【００１０】
また、上記意匠層は、例えば印刷や転写紙等により簡単かつ様々なバリエーションで形成することできる。また、所望の図柄・模様通りの上記意匠層を簡単に形成することができる。そのため、従来のように、作製後の質感や模様が意図していたものと異なることもほとんどない。そのため、調理器やシステムキッチンのキャビネット等の他部材と同様の図柄・模様を有する意匠層を簡単に形成することができ、意匠性の調和を図ることができる。
【００１１】
このように、上記第１の発明によれば、優れた意匠性を有すると共に、調理器及びキャビネット等の他部材との調和を図ることが可能なキッチンカウンター用天板を提供することができる。
【００１２】
第２の発明は、カウンター本体と、該カウンター本体上に配置された天板とを有するキッチンカウンターであって、
上記天板としては、請求項１〜５に記載のキッチンカウンター用天板が用いられ、該キッチンカウンター用天板はその上記意匠層側を下に向けて上記カウンター本体上に配置されていることを特徴とするキッチンカウンターにある（請求項６）。
【００１３】
上記第２の発明のキッチンカウンターは、上記第１の発明のキッチンカウンター用天板を上記カウンター本体上に配置してなる。上記キッチンカウンター用天板においては、上述のごとく、上記意匠層を印刷や転写紙等により簡単かつ様々なバリエーションで形成することできる。そのため、上記キッチンカウンターにおいては、例えば調理器やキャビネット等の他部材と上記天板との意匠性の調和を図ることができる。
【００１４】
また、上記キッチンカウンターにおいて、上記天板は、上記意匠層側を下に向けて上記カウンター本体上に配置されている。そのため、上記意匠層が、例えば食器、調理器具等と擦れて摩耗したり、調理器の熱等により変形したりすることによって、その意匠性が損なわれることを防止することができる。また、上記キッチンカウンターにおいて、上記意匠層は、透明の樹脂基板上に形成されているため、上記のごとく、上記キッチンカウンター用天板をその上記意匠層側を下に向けて上記カウンター本体上に配置しても、上記キッチンカウンター用天板の上面側から上記意匠層を鮮明に視認することができる。
【００１５】
このように、上記第２の発明によれば、優れた意匠性を有すると共に、調理器及びキャビネット等の他部材との調和を図ることが可能なキッチンカウンターを提供することができる。
【発明を実施するための最良の形態】
【００１６】
次に、本発明の好ましい実施の形態について説明する。
上記キッチンカウンター用天板は、上記のごとく、透明の樹脂基板と、該樹脂基板の片側面に形成された意匠層とを有する。
上記樹脂基板は、例えばアクリル系樹脂、ポリエステル系樹脂、エポキシ系樹脂等からなる透明な基板を用いることができる。
【００１７】
また、上記意匠層は、熱硬化性の有機塗料を含有することが好ましい。
この場合には、上記意匠層の耐熱性を向上させることができる。そのため、上記キッチンカウンター用天板の温度が上昇したとしても、熱変形等により上記意匠層が変形して意匠性が損なわれることを防止できる。
【００１８】
上記意匠層は、例えば上記樹脂基板の片側面上に直接スクリーン印刷を行うことによって形成することができる。
これにより、例えば木目調、大理石調、御影石調等の様々なバリエーションの意匠層を簡単に形成することができる。
【００１９】
また、上記意匠層は、水溶性糊層を有する吸水紙上に絵具層を有する転写紙から、少なくとも上記絵具層を剥離させて上記樹脂基板の上記片側面に貼り付け、乾燥させてなることが好ましい（請求項２）。
この場合には、簡単に上記意匠層を形成することができる。また、上記樹脂基板に折り曲げ加工等が施されて、該樹脂基板が段差構造を有している場合においても、上記意匠層を簡単に形成することができる。
また、上記絵具層は、上記吸水紙上に所望の図柄で印刷形成することがきる。そのため、例えば木目調、大理石調、御影石調等の様々なバリエーションの上記意匠層を簡単に形成することができる。
【００２０】
また、上記キッチンカウンター用天板の上記意匠層には、該意匠層を覆うコート層を形成することができる。
この場合には、上記意匠層を上記コート層で保護することができるため、上記意匠層の耐久性をより向上することができる。上記コート層は、市販のコート剤を上記意匠層上に塗布することにより形成することができる。
【００２１】
上記キッチンカウンター用天板は、調理器を配設するための調理器配設部を有していることが好ましい（請求項３）。
この場合には、例えば電磁調理器、ガス調理器等の調理器を上記キッチンカウンター用天板に組み付けることができる。
【００２２】
また、上記キッチンカウンター用天板の上記意匠層は、上記調理器のトッププレートと同じ図柄（模様）を有していることが好ましい（請求項４）。
この場合には、上記調理器のトッププレートと上記天板との意匠性の調和のとれたキッチンカウンターを構成することができる。
【００２３】
また、上記キッチンカウンター用天板は、シンクを配設するためのシンク配設部を有していることが好ましい（請求項５）。
この場合には、上記キッチンカウンター用天板にシンクを組み付けることができる。
【００２４】
次に、上記キッチンカウンターは、カウンター本体と、該カウンター本体上に配置された天板とを有する。上記天板とカウンター本体とは、例えばシリコーン樹脂系の接着剤等により固定することができる。
上記天板は、平板状であってもよいが、部分的に傾斜して段差構造を有していてもよい。例えばキッチンカウンターのカウンター本体上部の形状に適合するように、上記天板に段差構造を設けることができる。
【００２５】
また、上記カウンター本体には、キャビネット等の収納を形成することができる。また、上記カウンター本体には、上記調理器の加熱装置部分を収納させることができる。調理器としては、電磁調理器、ガス調理器等を配設することができる。さらに、上記カウンター本体には、シンクからの排水を通すための排水ホース等を配設することができる。
【実施例】
【００２６】
（実施形態例）
次に、本発明の実施例につき、図１〜図５を用いて説明する。
本例においては、本発明にかかるキッチンカウンター用天板、及びこれを備えるキッチンカウンターの実施形態例を示す。
図１に示すごとく、本例のキッチンカウンター１は、カウンター本体３と、その上に配置された天板２とを有する。カウンター本体３と天板２とは、シリコーン樹脂系の接着剤により一体的に組み付けられている。カウンター本体３は、背面上部から突出する突出部３１を有しており、この突出構造に適合するように、天板２にはその端部２１１に折り曲げ加工が施されている。
【００２７】
また、キッチンカウンター１の上部には、例えば電磁調理器、ステンレス製のシンク５１、及び蛇口５２等が配設されている。電磁調理器は、その上面にトッププレート４を有しており、トッププレート４とその周囲の天板２の高さが一致するようにキッチンカウンター１に配設されている。
【００２８】
図２（ａ）〜（ｃ）に示すごとく、天板２は、透明の樹脂基板２１と、その片側面上に形成された意匠層２２とを有する。また、天板２には、電磁調理器のトッププレート４、ステンレス製のシンク５１、及び蛇口５２等（図１参照）を嵌め込むための配設穴２７、２８、２９が形成されている。
一方、図３（ａ）及び（ｂ）に示すごとく、電磁調理器のトッププレート４は、調理面とは反対側の裏面に意匠層４２が形成された耐熱性ガラス板４１からなる。
本例において、図１に示すごとく、天板の意匠層２２（図２（ｂ）参照）とトッププレートの意匠層４２（図３（ｂ）参照）とは、同じ御影石調の模様を有している。図１においては、天板２とトッププレート４とが同じ御影石調の模様を有していることを示すために、両者に同じハッチングを設けてある。また、本例においては、図示を省略するが、カウンター本体３の下部はキャビネットになっている。
【００２９】
本例のキッチンカウンター用天板は、次のようにして作製した。
まず、図４（ａ）〜（ｃ）に示すごとく、樹脂基板２１として、無色透明なアクリル板を準備した。樹脂基板２１の端部２１１には、天板２を配置するカウンター本体３の上面構造（図１参照）に適合するように、折り曲げ加工が施されている。また、樹脂基板２１には、調理器、シンク、蛇口をそれぞれ配設するための配設穴２７、２８、２９が形成されている。
【００３０】
次に、樹脂基板２１に意匠層を形成するための転写紙を準備した。
図５（ａ）〜（ｃ）に示すごとく、転写紙６は、水溶性糊層６２を有する吸水紙６１を準備し、その水溶性糊層６２側に、有機塗料（タナカケミカル製のアストロシリーズ）を用いたスクリーン印刷により御影石調の模様を印刷して絵具層６３を形成することにより作製した。また、樹脂基板２１の配設穴２７、２８、２９（図４（ａ）参照）に位置する部分には絵具層６３は必要ないため、これらの部分には印刷を行わず、非印刷部６７、６８、６９を形成した。
【００３１】
次に、この転写紙６を水に２〜３分間浸漬した後、吸水紙６１のみをスライドさせて絵付け層６３を樹脂基板２１に転写した。このとき、図４（ａ）〜（ｃ）及び図５（ａ）〜（ｃ）に示すごとく、樹脂基板２１の配設穴２７、２８、２９の位置と、転写紙６の非印刷部６７、６８、６９の位置とを一致させるように転写を行った。その後、室温で乾燥させ、さらに温度１５０℃の乾燥炉中に配置して乾燥させ、樹脂基板２１上に意匠層２２を形成した（図２（ａ）〜（ｃ）参照）。このようにして、図２に示すごとく、透明の樹脂基板２１と、その片側面に形成された御影石調模様を有する意匠層２２とを有するキッチンカウンター用天板２を得た。意匠層２２について鉛筆硬度を測定したところ、２Ｈという充分な硬度を有していた。
また、本例においては、さらに意匠層２２を保護する目的で、意匠層２２上にオリジン電気製のクリアコートをスプレーガンにて塗布した。
【００３２】
次に、キッチンカウンター用天板と同様に御影石調模様を有する電磁調理器のトッププレートを準備した。図３（ａ）及び（ｂ）に示すごとく、このトッププレート４は、耐熱性ガラス板４１に御影石調模様の意匠層４２を形成してなる。また、図３（ａ）に示すごとく、トッププレート４には、電磁調理器の加熱装置（図紙略）によって加熱される加熱位置を示す加熱位置マーク４７、４８、４９が印刷形成されている。
このようなトッププレート４としては市販のものを使用できるが、例えば耐熱性ガラス板４１上にスクリーン印刷や上述の転写紙等を用いて意匠層４２を形成することにより作製することもできる。
【００３３】
次いで、図１に示すごとく、天板２をカウンター本体３に配置すると共に、天板２の調理器用の配設穴２７（図２（ａ）参照）に、トッププレート４（図３（ａ）参照）を有する電磁調理器を配置した。また、シンク用の配設部２８（図２（ａ）参照）にシンク５１を配置し（図１参照）、蛇口用の配設部２９（図２（ａ）参照）に蛇口５２を配置した。電磁調理器のトッププレート４、シンク５１、及び蛇口５２と、天板２との間はそれぞれシリコーン樹脂系の接着剤によって固定した。また、カウンター本体３と天板２との間もシリコーン樹脂系の接着剤で固定した。このようにして、図１に示すごとく、キッチンカウンター１を作製した。
【００３４】
図１及び図２（ａ）〜（ｃ）に示すごとく、本例のキッチンカウンター１においては、透明の樹脂基板２１と、該樹脂基板２１の片側面に形成された意匠層２２とを有する天板２を有し、天板２は意匠層２２側を下に向けてカウンター本体３に配置されている。樹脂基板２１が透明であるため、キッチンカウンター用天板２においては、意匠層２２が形成された面とは反対側、即ち使用者側から御影石調の意匠層２２を明確に視認することができる。また、意匠層２２側を下面にしているため、意匠層２２が摩擦や調理時の熱等により破損し、意匠性が損なわれることを防止することできる。
【００３５】
また、キッチンカウンター用天板２は、調理器のトッププレート４と同じ御影石調模様を有している。そのため、本例のキッチンカウンター１は、天板２と調理器（トッププレート４）との意匠性の調和のとれたものであった。
【００３６】
また、本例において、意匠層２２は、水溶性糊層６２を有する吸水紙６１上に絵具層６３を有する転写紙６から、少なくとも絵具層６３を剥離させて樹脂基板２１の片側面に貼り付け、乾燥させてなる（図５参照）。
そのため、本例のように樹脂基板２１の端部２１１に折り曲げ加工が施されて、該樹脂基板２１が段差構造を有していても、意匠層２を簡単に形成することができた（図２参照）。
【図面の簡単な説明】
【００３７】
【図１】実施形態例における、キッチンカウンターを斜め上方からみた様子を示す説明図。
【図２】実施形態例における、キッチンカウンター用天板を斜め上方からみた様子を示す説明図（ａ）、キッチンカウンター用天板の断面（図２（ａ）のＡ−Ａ線矢視断面）を示す説明図（ｂ）、キッチンカウンター用天板の断面（図２（ａ）のＢ−Ｂ線矢視断面）を示す説明図（ｃ）。
【図３】実施形態例における、調理器のトッププレートを正面から見た様子を示す説明図（ａ）、トッププレートの断面（図３（ａ）のＣ−Ｃ線矢視断面）を示す説明図（ｂ）。
【図４】実施形態例における、天板用の樹脂基板を正面から見た様子を示す説明図（ａ）、樹脂基板の断面（図４（ａ）のＤ−Ｄ線矢視断面）を示す説明図（ｂ）、樹脂基板の断面（図４（ａ）のＥ−Ｅ線矢視断面）を示す説明図（ｃ）。
【図５】実施形態例における、転写紙を正面から見た様子を示す説明図（ａ）、転写紙の断面（図５（ａ）のＦ−Ｆ線矢視断面）を示す説明図（ｂ）、転写紙の断面（図５（ａ）のＧ−Ｇ線矢視断面）を示す説明図（ｃ）。
【符号の説明】
【００３８】
１  キッチンカウンター
２  キッチンカウンター用天板
２１  樹脂基板
２２  意匠層
３  カウンター本体
【図１】
2008161252.tif 000003
【図２】
2008161252.tif 000004
【図３】
2008161252.tif 000005
【図４】
2008161252.tif 000006
【図５】
2008161252.tif 000007